【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
モジュール構造を備える舵板（１００）であって、少なくとも２つの組立式舵板セグメント（１０，１１，１２，１３）を備えるとともに、該少なくとも２つの組立式舵板セグメント（１０，１１，１２，１３）で構成され、
前記舵板（１００）は、前記舵板を舵頭材に接続する舵板ハブを有する主セクション（１４）と、前縁（１８）を有する前側舵板セクション（１５）と、を備え、
前記主セクション（１４）は、第１の舵板セグメント（１０）を備えるまたは第１の舵板セグメント（１０）であり、
前記前側舵板セクション（１５）は第２の舵板セグメント（１１）を備えるまたは第２の舵板セグメント（１１）であり、
主セクション（１４）は、前記前側舵板セクション（１５）とは別の材料で構成され、および／または、別の材料で作製され、および／または別の製造方法によって製造されている舵板（１００）。
【請求項２】
後縁（２３）を有する後側舵板セクション（１６）を備え、少なくとも３つの組立式舵板セグメント（１０，１１，１２，１３）を備えるとともに、前記少なくとも３つの組立式舵板セグメント（１０，１１，１２，１３）で構成され、前記後側舵板セクション（１６）は、第３の舵板セグメント（１２）を備えるまたは第３の舵板セグメント（１２）であり、
ならびに／あるいは、中間セクション（１７）を備え、少なくとも４つの組立式舵板セグメント（１０，１１，１２，１３）であるとともに、該少なくとも４つの組立式舵板セグメント（１０，１１，１２，１３）で構成され、前記中間セクション（１７）は、第４の舵板セグメント（１３）を備えるまたは第４の舵板セグメント（１３）である請求項１に記載の舵板（１００）。
【請求項３】
前記前側舵板セクション（１５）、詳細には、前記第２の舵板セグメント（１１）は、舵板底部セクション（２１）を備え、および／または前記前側舵板セクション（１５）は、推進バルブ（１９）を備える、請求項１または２に記載の舵板（１００）。
【請求項４】
少なくとも１つの舵板セグメント（１０，１１，１２，１３）、詳細には、前記第１の舵板セグメント（１０）は、短手方向リブ（４３）および長手方向リブ（３２）を有する溶接建造物であり、ならびに／あるいは少なくとも１つの舵板セグメント（１０，１１，１２，１３）、詳細には、前記第２の舵板セグメント（１１）は、造形製造方法および／または付加製造方法、詳細には、３Ｄプリント法によって製造され、ならびに／あるいは少なくとも１つの舵板セグメント（１０，１１，１２，１３）、詳細には、前記第３の舵板セグメント（１２）は、軽量要素（３７）であり、好ましくは、該軽量建造物要素（３７）は、Ｔハニカム構成部品、パネル構成部品、またはオール・スチール・ハニカム構成部品である、請求項１から３のいずれか一項に記載の舵板（１００）。
【請求項５】
前記前側舵板セクション（１５）、詳細には、前記第２の舵板セグメント（１１）は、バイオニック構造（４０）を有する表面（３９）を備え、好ましくは、前記バイオニック構造（４０）は、流れ抵抗を減少させるように設計されており、特に好ましくは、該バイオニック構造（４０）は、シャークスキン構造（４１）であり、および／または前記バイオニック構造（４０）は、フィン構造、詳細には、クジラ・フィン構造である請求項１から４のいずれか一項に記載の舵板（１００）。
【請求項６】
前記少なくとも２つの舵板セグメント（１０，１１，１２，１３）のうちの少なくとも１つ、好ましくは、前記第１の舵板セグメント（１０）、および／または前記第２の舵板セグメント（１１）、および／または前記第３の舵板セグメント（１２）、および／または、前記第４の舵板セグメント（１３）は、少なくとも２つのサブセグメント（２７，２８，４４）を備え、好ましくは、前記第１の舵板セグメント（１０）は、第１のサブセグメント（２７）および第２のサブセグメント（２８）を備えるとともに、前記第１のサブセグメント（２７）および前記第２のサブセグメント（２８）で構成され、特に好ましくは、接続体（３０）が、前記第１のサブセグメント（２７）と前記第２のサブセグメント（２８）の間に配置され、詳細には安定化プレート（２９）である、請求項１から５のいずれか一項に記載の舵板（１００）。
【請求項７】
請求項１から６のいずれか１項に記載の舵板（１００）のための舵板セグメントであって、
前記舵板セグメントは、前縁（１８）を有する前側舵板セクション（１５）であり、
造形製造方法および／または付加製造方法、詳細には、３Ｄプリント法によって製造される舵板セグメント。
【請求項８】
バイオニック構造（４０）を有する表面（３９）を備え、好ましくは、前記バイオニック構造（４０）は流れ抵抗を減少させるように設計されており、特に好ましくは、該バイオニック構造（４０）はシャークスキン構造（４１）であり、および／または前記バイオニック構造（４０）はフィン構造、詳細には、クジラ・フィン構造であり、最も好ましくは、該バイオニック構造（４０）は造形製造プロセスおよび／または付加製造方法によって、詳細には、３Ｄプリント法によって、ならびに／あるいは材料除去法、詳細には、切削加工によって、ならびに／あるいは鋳造によって製造される、請求項７に記載の舵板セグメント。
【請求項９】
少なくとも２つのサブセグメント（２７，２８，４４）を備え、および／または、少なくとも２つのサブセグメント（２７，２８，４４）で構成され、好ましくは、該サブセグメント（２７，２８，４４）は、詳細には、クリック・ファスナ・システムを用いて、接着、共にねじ止め、または溶接することによって、互いに接続される、請求項７または８に記載の舵板セグメント。
【請求項１０】
舵板底部セクション（２１）を備える、請求項７から９のいずれか一項に記載の舵板セグメント。
【請求項１１】
前記舵板底部セクション（２１）は、サブセグメント（４４）で構成され、好ましくは、該サブセグメント（４４）は、Ｕ形で設計されるとともに、別の舵板セグメントに接続するために長手方向（４６）の延びる凹部または溝（４５）を備え、ならびに／あるいは前記サブセグメント（４４）は、第１の対向側面（４７）および第２の対向側面（５０）を備え、接続手段（４９，５２）は、２つのサブセグメント（４４）を前記対向側面（４７，５０）にそれぞれ接続するように前記第１の対向側面（４７）および前記第２の対向側面（５０）に配置される、請求項１０に記載の舵板セグメント。
【請求項１２】
モジュール建造物を用いて舵板（１００）を製造する方法であって、
第１の舵板セグメント（１０）を製造するステップと、
第２の舵板セグメント（１１）を製造するステップと、
少なくとも前記第１の舵板セグメント（１０）および前記第２の舵板セグメント（１１）を接合するステップと、
を含み、
前記第１の舵板セグメント（１０）は、舵板（１００）の主セクション（１４）であり、
前記第２の舵板セグメント（１１）は、前側舵板セクション（１５）であり、
前記第１の舵板セグメント（１０）は、短手方向リブ（４３）および長手方向リブ（３２）で構成されるベア・フレーム構造（３３）をパネル付けすることにより溶接法によって製造され、
前記第２の舵板セグメント（１１）は、造形製造方法および／または付加製造方法によって製造される方法。
【請求項１３】
前記造形製造方法および／または前記付加製造方法は、３Ｄプリント法である請求項１２に記載の方法。